【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
長手方向に衝撃を受けたときに相当な衝撃エネルギーを確実且つ予測可能に吸収するようになっているエネルギー管理筒であって、
第１筒部と、
前記第１筒部と整合する第２筒部と、
前記第１筒部と前記第２筒部とをそれぞれ一体接続する第１端部及び第２端部を有する中間筒部であって、前記第１筒部及び前記第２筒部はサイズが寸法的に異なり、該中間筒部は、前記第１筒部から前記第２筒部に移行する形状を有する、中間筒部と
を備え、
前記第１筒部は、前記第２筒部よりもサイズが大きく、且つ筒境目を画定する外面を有し、
前記第１端部は、前記外面を越えて半径方向外向きにフレア状に拡がっているとともに長手方向に衝撃を受けたときに前記第１筒部のコラム強度を支持及び維持するように作用する変形材料のひと続きのバンドを有し、
前記第２端部は、衝撃を受けている最中に前記第１筒部がそのコラム強度を維持する間に、対照的に、前記第２筒部の入れ子状のめり込みを開始するように構成される、
長手方向に衝撃を受けたときに相当な衝撃エネルギーを確実且つ予測可能に吸収するようになっているエネルギー管理筒。
【請求項２】
前記第１筒部、前記第２筒部、及び前記中間筒部は、熱処理可能なグレードの材料から成る、請求項１に記載のるエネルギー管理筒。
【請求項３】
前記第１筒部、前記第２筒部、及び前記中間筒部のうち少なくとも１つの前記材料は、熱処理される、請求項２に記載のエネルギー管理筒。
【請求項４】
前記第１筒部、前記第２筒部、及び前記中間筒部は、アニール可能なグレードの材料から成る、請求項１に記載のエネルギー管理筒。
【請求項５】
前記第１筒部、前記第２筒部、及び前記中間筒部のうち少なくとも１つの前記材料は、アニールされる、請求項４に記載のエネルギー管理筒。
【請求項６】
前記第１筒部、前記第２筒部、及び前記中間筒部のうち少なくとも２つの前記材料は、前記中間筒部をアニールすることを含めてアニールされて、異なる材料特性を有するようになる、請求項５に記載のエネルギー管理筒。
【請求項７】
前記第１筒部、前記第２筒部、及び前記中間筒部は、構造用鋼の降伏特性、引張り特性、及び延伸特性と少なくとも同等の特性を有する材料から成る、請求項１に記載のエネルギー管理筒。
【請求項８】
前記第１筒部、前記第２筒部、及び前記中間筒部は、高強度低合金（ＨＳＬＡ）鋼から成る、請求項１に記載のエネルギー管理筒。
【請求項９】
前記第１筒部、前記第２筒部、及び前記中間筒部は、超高強度鋼から成る、請求項１に記載のエネルギー管理筒。
【請求項１０】
前記第１筒部、前記第２筒部、及び前記中間筒部は、連続的なロール成形の過程で長手方向にロール成形される、請求項１に記載のエネルギー管理筒。
【請求項１１】
前記第１筒部、前記第２筒部、及び前記中間筒部の少なくとも１つは、圧縮されてサイズを縮小することによって一部が形成される、請求項１に記載のエネルギー管理筒。
【請求項１２】
前記第１筒部及び前記第２筒部は、長手方向に圧縮されて、前記中間筒部に予め設定された形状を強制的にとらせ、
前記第１端部及び前記第２端部は少なくとも部分的に重なる、請求項１に記載のエネルギー管理筒。
【請求項１３】
前記第１筒部は、前記第２筒部よりも少なくとも約１０％高い降伏強度を有する、請求項１に記載のエネルギー管理筒。
【請求項１４】
前記第１端部は、前記第１筒部の壁厚の約０．５倍以上の半径を有する、請求項１に記載のエネルギー管理筒。
【請求項１５】
前記第２端部は、前記第２筒部の壁厚の約１．０倍を上回る第２半径を有する、請求項１４に記載のエネルギー管理筒。
【請求項１６】
前記第１筒部の内側に位置するインサートを有する、請求項１に記載のエネルギー管理筒。
【請求項１７】
前記第１筒部及び前記第２筒部の一方の自由端に取り付けられるバンパビームを有する、請求項１に記載のエネルギー管理筒。
【請求項１８】
前記第１筒部及び前記第２筒部の少なくとも一方に取り付けられる車両フレームを有する、請求項１に記載のエネルギー管理筒。
【請求項１９】
前記第１筒部及び前記第２筒部の少なくとも一方に取り付けられるクロスカーフレーム部材を有する、請求項１に記載のエネルギー管理筒。
【請求項２０】
前記第１筒部及び前記第２筒部は、同様の幾何学的形状の断面形状を有するが、断面積サイズは異なる、請求項１に記載のエネルギー管理筒。
【請求項２１】
前記第１筒部及び前記第２筒部の少なくとも一方は、矩形断面を有する、請求項２０に記載のエネルギー管理筒。
【請求項２２】
前記第１筒部及び前記第２筒部の少なくとも一方は、円形断面を有する、請求項２１に記載のエネルギー管理筒。
【請求項２３】
前記第１筒部及び前記第２筒部の一方は、或る位置にて円形断面を有し、且つ、該或る位置から長手方向に離間した別の位置にて矩形断面を有する、請求項１に記載のエネルギー管理筒。
【請求項２４】
長手方向に衝撃を受けたときに相当な衝撃エネルギーを確実且つ予測可能に吸収するようになっているエネルギー管理筒であって、
第１筒部と、
前記第１筒部と整合する第２筒部と、
前記第１筒部と前記第２筒部とをそれぞれ一体接続する第１端部及び第２端部を有する中間筒部であって、前記第１筒部及び前記第２筒部はサイズが寸法的に異なり、該中間筒部は、前記第１筒部から前記第２筒部に移行する形状を有する、中間筒部と
を備え、
前記第２筒部は、前記第１筒部よりもサイズが小さく、且つ筒境目を画定する内面を有し、
前記第２端部は、前記境目の内側に半径方向内向きにフレア状に拡がっている変形材料のひと続きのバンドを有し、長手方向に衝撃を受けたときに前記第２筒部のコラム強度を支持及び維持するように作用し、
前記第１端部は、衝撃を受けている最中に前記第２筒部がそのコラム強度を維持する間に前記第１筒部の入れ子状のめり込みを開始するように構成される、
長手方向に衝撃を受けたときに相当な衝撃エネルギーを確実且つ予測可能に吸収するようになっているエネルギー管理筒。
【請求項２５】
長手方向に衝撃を受けたときに相当な衝撃エネルギーを確実且つ予測可能に吸収するようになっているエネルギー管理筒であって、
第１筒部と、
前記第１筒部と整合する第２筒部と、
前記第１筒部と前記第２筒部とをそれぞれ一体接続する第１端部及び第２端部を有する中間筒部であって、前記第１筒部は、前記第２筒部よりもサイズが寸法的に大きく、該中間筒部は、前記第１筒部から前記第２筒部に移行する形状を有する、中間筒部と
を備え、
前記中間筒部は、連続的なリングを形成し、且つ、
長手方向の断面から見ると、前記第１端部が壁区域に第１半径を画定し、且つ前記第２端部が壁区域に第２半径を画定し、且つ前記第１半径及び前記第２半径の一方は他方の半径よりも小さい非線形壁区域であり、
前記一方の小径を有する端部は、前記他方の大径を有する端部よりもコラム強度に対し比較的大きな支持を与え、
前記他方の大径を有する前記端部は、前記大径を有する前記筒部の入れ子状のめり込みを開始するように構成されており、
それにより、長手方向の衝撃を受けると、前記中間筒部及び前記第２筒部は、予測可能に、且つ、前記中間筒部が前記長手方向の衝撃から力を受けたときの前記第１端部よりも迅速に、また、前記第１筒部よりも迅速にめり込む、
長手方向に衝撃を受けたときに相当な衝撃エネルギーを確実且つ予測可能に吸収するようになっているエネルギー管理筒。
【請求項２６】
前記第１筒部、前記第２筒部、及び前記中間筒部は、単一の材料シートから形成され、
前記第１筒部、前記第２筒部、及び前記中間筒部の少なくとも１つは、異なる材料特性を有するように熱処理される、請求項１、２４又は２５に記載のエネルギー管理筒。
【請求項２７】
前記中間筒部と、前記第１筒部及び前記第２筒部の一方とは、熱処理される、請求項２６に記載のエネルギー管理筒。
【請求項２８】
前記中間筒部及び前記一方の筒部はアニールされる、請求項２７に記載のエネルギー管理筒。
【請求項２９】
前記第１筒部、前記第２筒部、及び前記中間筒部は、鋼から成る、請求項１、２４又は２５に記載のエネルギー管理筒。
【請求項３０】
前記第１筒部、前記第２筒部、及び前記中間筒部は、アメリカ材料試験協会（ＡＳＴＭ）により規定された、構造用鋼の降伏強度を有する材料から成る、請求項２９に記載のエネルギー管理筒。
【請求項３１】
前記第１筒部、前記第２筒部、及び前記中間筒部は、少なくとも約３５ＫＳＩの降伏強度を有する材料から成る、請求項２９に記載のエネルギー管理筒。
【請求項３２】
前記材料は、少なくとも８０ＫＳＩの降伏強度を有する、請求項３１に記載のエネルギー管理筒。
【請求項３３】
長手方向に衝撃を受けたときに相当な衝撃エネルギーを確実且つ予測可能に吸収するようになっているエネルギー管理筒であって、
第１筒部と、
前記第１筒部と整合する第２筒部と、
前記第１筒部と前記第２筒部とをそれぞれ一体接続する第１端部及び第２端部を有する中間筒部であって、前記第１筒部は、前記第２筒部よりもサイズが寸法的に大きく、該中間筒部は、前記第１筒部から前記第２筒部に移行する形状を有する、中間筒部と、
前記第１端部の内側に位置するとともに前記第２端部を支持する支持部材であって、めり込みに対し付加的な耐性を与える、支持部材と、
前記第１筒部の内側に位置するとともに、長手方向の衝撃を受けると圧壊すると同時に材料のめり込みを制御するのを助けるように構成されている、圧壊可能な支持部材と
を備える、
長手方向に衝撃を受けたときに相当な衝撃エネルギーを確実且つ予測可能に吸収するようになっているエネルギー管理筒。
【請求項３４】
前記支持部材は前記中間筒部に係合する、請求項３３に記載のエネルギー管理筒。
【請求項３５】
前記支持部材は、前記第１筒部内に嵌合する細長い一定形状を有する、請求項３４に記載のエネルギー管理筒。
【請求項３６】
長手方向に衝撃を受けたときに相当な衝撃エネルギーを確実且つ予測可能に吸収するようになっているエネルギー管理筒であって、
第１筒部と、
前記第１筒部と整合する第２筒部と、
前記第１筒部と前記第２筒部とをそれぞれ一体接続する第１端部及び第２端部を有する中間筒部であって、前記第１筒部は、前記第２筒部よりもサイズが大きく、該中間筒部は、前記第１筒部から前記第２筒部に移行する形状を有する、中間筒部と
を備え、
前記中間筒部と、前記第１筒部及び前記第２筒部のうち一方とは、該第１筒部及び該第２筒部のうち他方とは異なる材料特性を有するようにアニールされ、
該異なる材料特性は、降伏特性及び延伸特性の変化を含み、且つ、前記中間筒部が該中間筒部を変形するのに十分な応力を受けると前記中間筒部を変形及び整形しやすくするようになっている、
長手方向に衝撃を受けたときに相当な衝撃エネルギーを確実且つ予測可能に吸収するようになっているエネルギー管理筒。
【請求項３７】
前記異なる材料特性は、長手方向に衝撃を受けている間、前記アニールされた一方の筒部の予測可能な且つ所望の入れ子状のめり込みを助けるようになっている、増大した延伸特性及び低減した降伏特性を含む、請求項３６に記載のエネルギー管理筒。
【請求項３８】
前記異なる材料特性は、前記一方の筒部の断面をサイズが異なるように変更することを含めた、前記一方の筒部を機械的に形成するのを助けるようになっている、増大した延伸特性及び低減した降伏特性を含む、請求項３７に記載のエネルギー管理筒。
【請求項３９】
前記異なる材料特性は、長手方向に衝撃を受けている間、材料のめり込みを促進する形状へ前記中間筒部を据え込み加工するのを助けるようになっている、増大した延伸特性及び低減した降伏特性を含む、請求項３７に記載のエネルギー管理筒。
【請求項４０】
ショックアブソーバであって、
塑性変形可能なストレート筒を部分的に縮小又は部分的に拡大することによって一体形成される小径筒部分及び大径筒部分と、
前記小径筒部分と前記大径筒部分の縁間に、該縁を該各筒部分に折り返すことによって連続的に形成される段部分と
を備え、
加えられた衝撃エネルギーを吸収する量を制御するように、摩擦部材が前記大径筒部分の内側に取り付けられる、ショックアブソーバ。
【請求項４１】
前記段部分は、
前記小径筒部分の、断面が円弧形である環状折り返し部分は、断面において曲率半径が小さく、且つ、
前記大径筒部分の、断面が円弧形である環状折り返し部分は、断面の曲率半径が大きい断面構造を有し、
環状側面は、前記環状折り返し部分の縁をその縁により接合し、
それにより、前記段部分をＳ字形状断面に一体形成する、請求項４０に記載のショックアブソーバ。
【請求項４２】
前記摩擦部材は、外径が前記大径筒部分の内径よりも小さく、且つ内径が前記小径筒部分の外径よりも大きい環状弾性部材であり、
該環状弾性部材は、前記大径筒部分の内側に挿入される、請求項４０に記載のショックアブソーバ。
【請求項４３】
前記摩擦部材は、外径が前記大径筒部分の内径にほぼ等しく、且つ内径が前記小径筒部分の前記環状の折り返し部分の外径よりも大きい環状弾性部材であり、
該環状弾性部材は、前記大径筒部分の内側に圧挿入される、請求項４０に記載のショックアブソーバ。
【請求項４４】
ショックアブソーバであって、
塑性変形可能なストレート筒を部分的に縮小又は部分的に拡大することによって一体形成される小径筒部分及び大径筒部分と、
該小径筒部分及び該大径筒部分を接合する段部分と
を備え、
前記小径筒部分の折り返し部分と前記大径筒部分の折り返し部分との双方は、前記段部分により互いに接合される際、９０度を超える円弧角を有する円弧形部を有し、
前記段部分は、前記小径筒部分の前記折り返し部分と前記大径筒部分の前記折り返し部分とを接合することによりＳ字形部を有するように形成される、ショックアブソーバ。
【請求項４５】
前記段部分は、Ｓ字形部を有するように形成され、
前記小径筒部分の前記折り返し部分の前記円弧形部の半径は、前記大径筒部分の前記折り返し部分の前記円弧形部の半径よりも小さくなるようにされる、請求項４４に記載のショックアブソーバ。
【請求項４６】
前記段部分は、前記小径筒部分の前記折り返し部分と前記大径筒部分の前記折り返し部分とを環状側面により接合することによりＳ字形部を有するように形成される、請求項４４に記載のショックアブソーバ。
【請求項４７】
長手方向に衝撃を受けたときに相当な衝撃エネルギーを確実且つ予測可能に吸収するようになっているエネルギー管理筒であって、
第１筒部と、
前記第１筒部と整合する第２筒部と、
前記第１筒部と前記第２筒部とをそれぞれ一体接続する第１端部及び第２端部を有する中間筒部であって、前記第１筒部は前記第２筒部と同じ形状を有し、該中間筒部は、前記第１筒部から前記第２筒部に移行する形状を有する、中間筒部と
を備え、
前記中間筒部は、連続的なリングを形成し、且つ、
長手方向の断面から見ると、前記第１端部が壁区域に第１半径を画定し、且つ前記第２端部が壁区域に第２半径を画定し、且つ前記第１半径及び前記第２半径の一方は他方の半径よりも小さい非線形壁区域であり、
前記一方の小径を有する端部は、前記他方の大径を有する端部よりもコラム強度に対し比較的大きな支持を与え、
前記他方の大径を有する端部は、前記大径を有する前記筒部の入れ子状のめり込みを開始するように構成されており、
それにより、長手方向の衝撃を受けると、前記中間筒部及び前記第２筒部は、予測可能に、且つ、前記中間筒部が前記長手方向の衝撃から力を受けたときの前記第１端部よりも迅速に、及び、前記第１筒部よりも迅速に、めり込む、
長手方向に衝撃を受けたときに相当な衝撃エネルギーを確実且つ予測可能に吸収するようになっているエネルギー管理筒。
【請求項４８】
前記第１筒部、前記第２筒部、及び前記中間筒部は、単一の材料シートから形成され、
前記第１筒部、前記第２筒部、及び前記中間筒部の少なくとも１つは、異なる材料特性を有するように熱処理される、請求項４７に記載のエネルギー管理筒。
【請求項４９】
前記中間筒部と、前記第１筒部及び前記第２筒部の一方とは、熱処理される、請求項４８に記載のエネルギー管理筒。
【請求項５０】
前記中間筒部及び前記一方の筒部はアニールされる、請求項４９に記載のエネルギー管理筒。
【請求項５１】
前記第１筒部、前記第２筒部、及び前記中間筒部は、鋼から成る、請求項４７に記載のエネルギー管理筒。
【請求項５２】
長手方向に衝撃を受けたときに相当な衝撃エネルギーを確実且つ予測可能に吸収するようになっているエネルギー管理筒であって、
第１筒部と、
前記第１筒部と整合する第２筒部と、
前記第１筒部と前記第２筒部とをそれぞれ一体接続する第１端部及び第２端部を有する中間筒部であって、前記第１筒部は、前記第２筒部と同じ形状を有し、該中間筒部は、前記第１筒部から前記第２筒部に移行する形状を有する、中間筒部と
を備え、
前記中間筒部と、前記第１筒部及び前記第２筒部のうち一方とは、前記第１筒部及び前記第２筒部のうち他方とは異なる材料特性を有するようにアニールされ、
前記異なる材料特性は、降伏特性及び延伸特性の変化を含み、且つ、前記中間筒部が該中間筒部を変形するのに十分な応力を受けると前記中間筒部を変形及び整形しやすくするようになっている、
長手方向に衝撃を受けたときに相当な衝撃エネルギーを確実且つ予測可能に吸収するようになっているエネルギー管理筒。
【請求項５３】
前記異なる材料特性は、長手方向に衝撃を受けている間、前記アニールされた一方の筒部の予測可能な且つ所望の入れ子状のめり込みを助けるようになっている、増大した延伸特性及び低減した降伏特性を含む、請求項５２に記載のエネルギー管理筒。
【請求項５４】
前記異なる材料特性は、前記一方の筒部の断面をサイズが異なるように変更することを含めた、前記一方の筒部を機械的に形成するのを助けるようになっている、増大した延伸特性及び低減した降伏特性を含む、請求項５３に記載のエネルギー管理筒。
【請求項５５】
前記異なる材料特性は、長手方向に衝撃を受けている間、材料のめり込みを促進する形状へ前記中間筒部を据え込み加工するのを助けるようになっている、増大した延伸特性及び低減した降伏特性を含む、請求項５３に記載のエネルギー管理筒。
【請求項５６】
長手方向に衝撃を受けたときに相当な衝撃エネルギーを確実且つ予測可能に吸収するようになっているエネルギー管理筒であって、
第１変形抵抗を有する第１筒部と、
第２変形抵抗を有する第２筒部であって、該第２変形抵抗は前記第１変形抵抗よりも大きい、第２筒部と、
前記第１筒部を前記第２筒部に接続する中間筒部と
を備え、
それにより、長手方向の衝撃を受けたときに、前記中間筒部及び前記第１筒部は、予測可能に、且つ、該中間筒部が前記長手方向の衝撃から力を受けたときの前記第２筒部よりも迅速にめり込む、
長手方向に衝撃を受けたときに相当な衝撃エネルギーを確実且つ予測可能に吸収するようになっているエネルギー管理筒。
【請求項５７】
前記中間筒部は円錐台形状領域を含む、請求項５６に記載のエネルギー管理筒。
【請求項５８】
前記中間筒部は、前記第１筒部と前記第２筒部とをそれぞれ該中間筒部に一体接続する第１端部及び第２端部を有する、請求項５６に記載のエネルギー管理筒。
【請求項５９】
前記中間筒部は、連続的なリングを形成し、且つ、長手方向の断面から見ると、非線形の壁区域を有しており、前記第１端部が該壁区域に第１半径を画定し、且つ前記第２端部が該壁区域に第２半径を画定し、
前記第１半径及び前記第２半径の一方は他方の半径よりも小さく、
前記一方の小径を有する端部は、前記大径を有する前記筒部の入れ子状のめり込みを開始するように構成されている、請求項５８に記載のエネルギー管理筒。
【請求項６０】
前記第１端部と前記第１筒部との間の第１移行は第１角度であり、
前記第２端部と前記第２筒部との間の第２移行は第２角度であり、
該第１角度は該第２角度とは異なる、請求項５６に記載のエネルギー管理筒。
【請求項６１】
前記第１角度は前記第２角度よりも小さい、請求項６０に記載のエネルギー管理筒。
【請求項６２】
前記第２筒部内に一構成部品をさらに有する、請求項５６に記載のエネルギー管理筒。
【請求項６３】
前記構成部品はブシュである、請求項６２に記載のエネルギー管理筒。
【請求項６４】
前記第１筒部、前記第２筒部、及び前記第３中間筒部は、単一片材料から形成される、請求項５６に記載のエネルギー管理筒。
【請求項６５】
前記第２筒部は加熱処理され、それにより、前記第２変形抵抗を前記第１変形抵抗よりも大きくする、請求項５６に記載の管理筒。
【請求項６６】
前記中間筒部は熱処理される、請求項６５に記載のエネルギー管理筒。
【請求項６７】
前記第２筒部及び前記中間筒部はアニールされる、請求項６６に記載のエネルギー管理筒。
【請求項６８】
前記第１筒部、前記第２筒部、及び前記中間筒部は、鋼から成る、請求項５６に記載のエネルギー管理筒。
【請求項６９】
前記第２筒部は第１筒部よりも厚く、それにより、前記第２変形抵抗を前記第１変形抵抗よりも大きくする、請求項５６に記載のエネルギー管理筒。